(57)【要約】【課題】フェライトコアに導電路を取り付ける際の作業性の向上を図る。【解決手段】フェライトコアモジュール２０は、一対の第１挟み部２２Ａを第１繋ぎ部２３Ａで繋いだ略Ｕ字形をなし、第１繋ぎ部２３Ａとは反対側の第１開口部２６Ａから導電路１０を一対の第１挟み部２２Ａの間に収容する第１フェライトコア２１Ａと、一対の第２挟み部２２Ｂを第２繋ぎ部２３Ｂで繋いだ略Ｕ字形をなし、第２繋ぎ部２３Ｂとは反対側の第２開口部２６Ｂから導電路１０を一対の第２挟み部２２Ｂの間に収容する第２フェライトコア２１Ｂと、導電路１０の長さ方向と直交する仮想平面上において第１開口部２６Ａと第２開口部２６Ｂの開口方向が互いに異なる向きとなるように両フェライトコア２１Ａ，２１Ｂを位置決めするホルダ３０Ａ，３０Ｂとを備える。【選択図】図１
2015026739.tif 000002
【特許請求の範囲】
【請求項１】
複数本の導体を略平行に配した形態の導電路に取り付けられることでワイヤーハーネスを構成するものであって、
対向配置された一対の第１挟み部の端縁同士を第１繋ぎ部で繋いだ略Ｕ字形をなし、前記第１繋ぎ部とは反対側の第１開口部から、前記導電路を前記一対の第１挟み部の間に収容するようになっている第１フェライトコアと、
対向配置された一対の第２挟み部の端縁同士を第２繋ぎ部で繋いだ略Ｕ字形をなし、前記第２繋ぎ部とは反対側の第２開口部から、前記導電路を前記一対の第２挟み部の間に収容するようになっている第２フェライトコアと、
前記導電路の長さ方向と直交する仮想平面上において前記第１開口部の開口方向と前記第２開口部の開口方向が互いに異なる向きとなるように、前記第１フェライトコアと前記第２フェライトコアを位置決めするホルダとを備えていることを特徴とするフェライトコアモジュール。
【請求項２】
複数の導体を並列配置して構成された前記導電路に取り付けられるものであって、
前記ホルダが、
前記第１開口部の開口方向が前記導体の並列方向と平行となるように前記第１フェライトコアを保持する第１ホルダと、
前記第２開口部の開口方向が前記導体の並列方向と平行となるように前記第２フェライトコアを保持する第２ホルダと、
前記第１ホルダと前記第２ホルダに互いに嵌合可能に形成され、前記導体の並び方向と平行な幅方向において、前記第１ホルダと前記第２ホルダを複数の異なる位置関係で組み付けることを可能にする位置調節手段とを備えて構成されていることを特徴とする請求項１記載のフェライトコアモジュール。
【請求項３】
前記位置調節手段が、前記導体の並列方向と平行に一定ピッチで配置された複数の位置決め部とを備えて構成されていることを特徴とする請求項２記載のフェライトコアモジュール。
【請求項４】
前記位置調節手段が、ガイド溝と、前記ガイド溝に嵌合されるガイドリブとを備えて構成されていることを特徴とする請求項２記載のフェライトコアモジュール。
【請求項５】
前記第１フェライトコアによるノイズ低減周波数帯域と、前記第２フェライトコアによるノイズ低減周波数帯域とが互いに異なる範囲であることを特徴とする請求項１ないし請求項４のいずれか１項に記載のフェライトコアモジュール。
【請求項６】
複数本の導体を略平行に配した形態の導電路と、
前記導電路に対しこれを包囲するように取り付けられるフェライトコアモジュールとを備え、
前記フェライトコアモジュールは、
対向配置された一対の第１挟み部の端縁同士を第１繋ぎ部で繋いだ略Ｕ字形をなし、前記第１繋ぎ部とは反対側の第１開口部から、前記導電路を前記一対の第１挟み部の間に収容するようになっている第１フェライトコアと、
対向配置された一対の第２挟み部の端縁同士を第２繋ぎ部で繋いだ略Ｕ字形をなし、前記第２繋ぎ部とは反対側の第２開口部から、前記導電路を前記一対の第２挟み部の間に収容するようになっている第２フェライトコアと、
前記導電路の長さ方向と直交する仮想平面上において前記第１開口部の開口方向と前記第２開口部の開口方向が互いに異なる向きとなるように、前記第１フェライトコアと前記第２フェライトコアを位置決めするホルダとを備えて構成されていることを特徴とするワイヤーハーネス。
【請求項７】
前記導電路が、複数の導体を並列配置して構成され、
前記ホルダが、
前記第１開口部の開口方向が前記導体の並列方向と平行となるように前記第１フェライトコアを保持する第１ホルダと、
前記第２開口部の開口方向が前記導体の並列方向と平行となるように前記第２フェライトコアを保持する第２ホルダと、
前記第１ホルダと前記第２ホルダに互いに嵌合可能に形成され、前記導体の並び方向と平行な幅方向において、前記第１ホルダと前記第２ホルダを複数の異なる位置関係で組み付けることを可能にする位置調節手段とを備えて構成されていることを特徴とする請求項６記載のワイヤーハーネス。
【請求項８】
前記位置調節手段が、前記導体の並列方向と平行に一定ピッチで配置された複数の位置決め部を備えて構成されていることを特徴とする請求項７記載のワイヤーハーネス。
【請求項９】
前記位置調節手段が、ガイド溝と、前記ガイド溝に嵌合されるガイドリブとを備えて構成されていることを特徴とする請求項７記載のワイヤーハーネス。
【請求項１０】
前記第１フェライトコアによるノイズ低減周波数帯域と、前記第２フェライトコアによるノイズ低減周波数帯域とが互いに異なる範囲であることを特徴とする請求項６ないし請求項９のいずれか１項に記載のワイヤーハーネス。
【発明の詳細な説明】
【技術分野】
【０００１】
本発明は、フェライトコアモジュール及びワイヤーハーネスに関するものである。
【背景技術】
【０００２】
特許文献１には、フラットケーブルからなる導電路をリング状のフェライトコアに挿通したワイヤーハーネスが開示されている。このワイヤーハーネスは、導電路を流れる電流のノイズをフェライトコアで低減することができる。
【先行技術文献】
【特許文献】
【０００３】
【特許文献１】特開２０１０−０２１５７１号公報
【発明の概要】
【発明が解決しようとする課題】
【０００４】
上記のワイヤーハーネスを組み付ける際には、フェライトコアが全周に亘って閉じた形態であるため、フェライトコアの挿通孔に導電路を貫通させるようになっている。そのため、導電路が長尺であって、フェライトコアの取付け位置が導電路の端部から遠い場合には、導電路をフェライトコアに挿通させる際の作業性が良くない。
【０００５】
本発明は上記のような事情に基づいて完成されたものであって、フェライトコアに導電路を取り付ける際の作業性の向上を図ることを目的とする。
【課題を解決するための手段】
【０００６】
第１の発明のフェライトコアモジュールは、
複数本の導体を略平行に配した形態の導電路に取り付けられることでワイヤーハーネスを構成するものであって、
対向配置された一対の第１挟み部の端縁同士を第１繋ぎ部で繋いだ略Ｕ字形をなし、前記第１繋ぎ部とは反対側の第１開口部から、前記導電路を前記一対の第１挟み部の間に収容するようになっている第１フェライトコアと、
対向配置された一対の第２挟み部の端縁同士を第２繋ぎ部で繋いだ略Ｕ字形をなし、前記第２繋ぎ部とは反対側の第２開口部から、前記導電路を前記一対の第２挟み部の間に収容するようになっている第２フェライトコアと、
前記導電路の長さ方向と直交する仮想平面上において前記第１開口部の開口方向と前記第２開口部の開口方向が互いに異なる向きとなるように、前記第１フェライトコアと前記第２フェライトコアを位置決めするホルダとを備えているところに特徴を有する。
【０００７】
第２の発明のワイヤーハーネスは、
複数本の導体を略平行に配した形態の導電路と、
前記導電路に対しこれを包囲するように取り付けられるフェライトコアモジュールとを備え、
前記フェライトコアモジュールは、
対向配置された一対の第１挟み部の端縁同士を第１繋ぎ部で繋いだ略Ｕ字形をなし、前記第１繋ぎ部とは反対側の第１開口部から、前記導電路を前記一対の第１挟み部の間に収容するようになっている第１フェライトコアと、
対向配置された一対の第２挟み部の端縁同士を第２繋ぎ部で繋いだ略Ｕ字形をなし、前記第２繋ぎ部とは反対側の第２開口部から、前記導電路を前記一対の第２挟み部の間に収容するようになっている第２フェライトコアと、
前記導電路の長さ方向と直交する仮想平面上において前記第１開口部の開口方向と前記第２開口部の開口方向が互いに異なる向きとなるように、前記第１フェライトコアと前記第２フェライトコアを位置決めするホルダとを備えて構成されているところに特徴を有する。
【発明の効果】
【０００８】
フェライトコアは、略Ｕ字形をなしているので、導電路に対しその長さ方向と交差する方向に取り付けることができる。したがって、導電路が長尺で、フェライトコアの取付け位置が導電路の端部から離れていても、取付け作業が容易である。また、ホルダにより、２つのフェライトコアは、第１開口部の開放方向と第２開口部の開口方向が互いに異なる向きとなるように位置決めされるので、２つのフェライトコアは、導電路に対しその長さ方向と交差する方向に離脱する虞はない。
【図面の簡単な説明】
【０００９】
【図１】実施例１のワイヤーハーネスの平断面図
【図２】導電路を構成する被覆電線の本数が図１よりも少ない場合のワイヤーハーネスの平断面図
【図３】図１のＸ−Ｘ線断面図
【図４】実施例２のワイヤーハーネスの平断面図
【図５】導電路を構成する被覆電線の本数が図４よりも少ない場合のワイヤーハーネスの平断面図
【図６】フェライトコアモジュールの正面図
【発明を実施するための形態】
【００１０】
（１）第１の発明のフェライトコアモジュールは、
複数の導体を並列配置して構成された前記導電路に取り付けられるものであって、
前記ホルダが、
前記第１開口部の開口方向が前記導体の並列方向と平行となるように前記第１フェライトコアを保持する第１ホルダと、
前記第２開口部の開口方向が前記導体の並列方向と平行となるように前記第２フェライトコアを保持する第２ホルダと、
前記第１ホルダと前記第２ホルダに互いに嵌合可能に形成され、前記導体の並び方向と平行な幅方向において、前記第１ホルダと前記第２ホルダを複数の異なる位置関係で組み付けることを可能にする位置調節手段とを備えて構成されていてもよい。
このフェライトコアモジュールは、位置調節手段により、第１フェライトコアと第２フェライトコアの位置関係を、導体の並列方向と平行に調節することができる。したがって、第１繋ぎ部と第２繋ぎ部の間隔を導電路の幅寸法に合わせて調節すれば、フェライトコアモジュール内において導電路が幅方向にガタ付くことを防止できる。
【００１１】
（２）第２の発明のワイヤーハーネスは、
前記導電路が、複数の導体を並列配置して構成され、
前記ホルダが、
前記第１開口部の開口方向が前記導体の並列方向と平行となるように前記第１フェライトコアを保持する第１ホルダと、
前記第２開口部の開口方向が前記導体の並列方向と平行となるように前記第２フェライトコアを保持する第２ホルダと、
前記第１ホルダと前記第２ホルダに互いに嵌合可能に形成され、前記導体の並び方向と平行な幅方向において、前記第１ホルダと前記第２ホルダを複数の異なる位置関係で組み付けることを可能にする位置調節手段とを備えて構成されていてもよい。
このワイヤーハーネスは、位置調節手段により、第１フェライトコアと第２フェライトコアの位置関係を、導体の並列方向と平行に調節することができる。したがって、第１繋ぎ部と第２繋ぎ部の間隔を導電路の幅寸法に合わせて調節すれば、フェライトコアモジュール内において導電路が幅方向にガタ付きを生じるのを防止できる。
【００１２】
（３）第１の発明のフェライトコアモジュールは、（１）に記載のものにおいて、前記位置調節手段が、前記導体の並列方向と平行に一定ピッチで配置された複数の位置決め部を備えて構成されていてもよい。
（４）第２の発明のワイヤーハーネスは、（２）に記載のものにおいて、前記位置調節手段が、前記導体の並列方向と平行に一定ピッチで配置された複数の位置決め部を備えて構成されていてもよい。
（３）及び（４）の構成によれば、複数の位置決め部の嵌合の組み合わせを変更することにより、第１ホルダと第２ホルダの位置関係を多段階に調節することができる。
【００１３】
（５）第１の発明のフェライトコアモジュールは、（１）に記載のものにおいて、前記位置調節手段が、ガイド溝と、前記ガイド溝に嵌合されるガイドリブとを備えて構成されていてもよい。
（６）第２の発明のワイヤーハーネスは、（２）に記載のものにおいて、前記位置調節手段が、ガイド溝と、前記ガイド溝に嵌合されるガイドリブとを備えて構成されていてもよい。
（５）及び（６）の構成によれば、ガイド溝とガイドリブをスライドさせることにより、第１ホルダと第２ホルダの位置関係を無段階に調節することができる。
【００１４】
（７）第１の発明のフェライトコアモジュールは、前記第１フェライトコアによるノイズ低減周波数帯域と、前記第２フェライトコアによるノイズ低減周波数帯域とが互いに異なる範囲であってもよい。
（８）第１の発明のワイヤーハーネスは、前記第１フェライトコアによるノイズ低減周波数帯域と、前記第２フェライトコアによるノイズ低減周波数帯域とが互いに異なる範囲であってもよい。
【００１５】
（７）及び（８）の構成によれば、低周波数帯域から高周波数帯域に至る広い範囲に亘って、ノイズ低減効果を発揮させることができる。
【００１６】
＜実施例１＞
以下、本発明を具体化した実施例１を図１〜図３を参照して説明する。本実施例のワイヤーハーネスＷａは、導電路１０と、フェライトコアモジュール２０とを組み付けて構成されている。導電路１０は、導体１２を絶縁被覆１３で包囲した複数本の被覆電線１１を、互いに略平行に並列配置して構成されている。尚、後述するフェライトコアモジュール２０の説明における方向に関しては、便宜上、導電路１０が左右方向に配索され、複数本の被覆電線１１の並び方向が前後方向である状態を基準とする。
【００１７】
フェライトコアモジュール２０は、略Ｕ字形をなす第１フェライトコア２１Ａと、同じく略Ｕ字形の第２フェライトコア２１Ｂと、ホルダとを組み付けて構成されている。ホルダは、第１ホルダ３０Ａと、第２ホルダ３０Ｂとを組み付けて構成されている。フェライトコアモジュール２０を導電路１０に取り付けた状態では、第１フェライトコア２１Ａと第２フェライトコア２１Ｂが、導電路１０を包囲することにより、導電路１０に流れる電流のノイズを低減するようになっている。
【００１８】
第１フェライトコア２１Ａは、互いに平行をなすように対向配置された上下一対の方形平板状をなす一対の第１挟み部２２Ａと、この両第１挟み部２２Ａの前側（図１，２における下側）の端縁同士を繋ぐ第１繋ぎ部２３Ａとを一体に成形したものである。一対の第１挟み部２２Ａの対向間隔は、１本の被覆電線１１の外径とほぼ同じ寸法である。図３に示すように、第１繋ぎ部２３Ａを導電路１０の長さ方向（被覆電線１１の軸線方向）と直角に切断した断面形状は、半円弧形をなしている。第１繋ぎ部２３Ａの内周面の曲率半径は、被覆電線１１の外周面の曲率半径とほぼ同じ寸法である。したがって、第１繋ぎ部２３Ａの内周面は、第１挟み部２２Ａの対向面に対し滑らかに連なっている。
【００１９】
第１フェライトコア２１Ａの内部、つまり、一対の第１挟み部２２Ａで挟まれた空間は、導電路１０を収容するための第１収容空間２４Ａとなっている。第１フェライトコア２１Ａの外面における左右両側面には、第１収容空間２４Ａを第１フェライトコア２１Ａの外部へ連通させる左右一対のスリット状をなす第１逃がし部２５Ａが開口している。同じく第１フェライトコア２１Ａの後端面、つまり前後方向において第１繋ぎ部２３Ａとは反対の外面にも、第１収容空間２４Ａを第１フェライトコア２１Ａの外部へ連通させるスリット状の第１開口部２６Ａが開口している。
【００２０】
一対の第１逃がし部２５Ａの後端と第１開口部２６Ａの左右両端とは互いに連通している。この第１逃がし部２５Ａと第１開口部２６Ａにより、導電路１０は、第１開口部２６Ａから前方へスライドさせることによって第１収容空間２４Ａ内に収容することができる。また、第１収容空間２４Ａ内の導電路１０は、後方へスライドさせることによって第１フェライトコア２１Ａの外部へ取り外すことができる。導電路１０を第１収容空間２４Ａに収容した状態では、導電路１０が一対の第１逃がし部２５Ａから左右方向へ導出される。
【００２１】
第２フェライトコア２１Ｂは、互いに平行をなすように対向配置された上下一対の方形平板状をなす一対の第２挟み部２２Ｂと、この両第２挟み部２２Ｂの後側（図１，２における上側）の端縁同士を繋ぐ第２繋ぎ部２３Ｂとを一体に成形したものである。一対の第２挟み部２２Ｂの対向間隔は、１本の被覆電線１１の外径とほぼ同じ寸法である。図３に示すように、第２繋ぎ部２３Ｂを導電路１０の長さ方向（被覆電線１１の軸線方向）と直角に切断した断面形状は、半円弧形をなしている。第２繋ぎ部２３Ｂの内周面の曲率半径は、被覆電線１１の外周面の曲率半径とほぼ同じ寸法である。したがって、第２繋ぎ部２３Ｂの内周面は、第２挟み部２２Ｂの対向面に対し滑らかに連なっている。
【００２２】
第２フェライトコア２１Ｂの内部、つまり、一対の第２挟み部２２Ｂで挟まれた空間は、導電路１０を収容するための第２収容空間２４Ｂとなっている。第２フェライトコア２１Ｂの外面における左右両側面には、第２収容空間２４Ｂを第２フェライトコア２１Ｂの外部へ連通させる左右一対のスリット状をなす第２逃がし部２５Ｂが開口している。同じく第２フェライトコア２１Ｂの前端面、つまり前後方向において第２繋ぎ部２３Ｂとは反対の外面にも、第２収容空間２４Ｂを第２フェライトコア２１Ｂの外部へ連通させるスリット状の第２開口部２６Ｂが開口している。
【００２３】
一対の第２逃がし部２５Ｂの前端と第２開口部２６Ｂの左右両端とは互いに連通している。この第２逃がし部２５Ｂと第２開口部２６Ｂにより、導電路１０は、第２開口部２６Ｂから後方へスライドさせることによって第２収容空間２４Ｂ内に収容することができる。また、第２収容空間２４Ｂ内の導電路１０は、前方へスライドさせることによって第２フェライトコア２１Ｂの外部へ取り外すことができる。導電路１０を第２収容空間２４Ｂに収容した状態では、導電路１０が一対の第２逃がし部２５Ｂから左右方向へ導出される。
【００２４】
第１フェライトコア２１Ａと第２フェライトコア２１Ｂは、形状と大きさが互いに同じである。しかし、第１フェライトコア２１Ａがノイズ低減効果を発揮する周波数帯域と、第２フェライトコア２１Ｂがノイズ低減効果を発揮する周波数帯域は、互いに異なる範囲である。したがって、第１フェライトコア２１Ａと第２フェライトコア２１Ｂを１つの導電路１０に取り付けることにより、低周波数の帯域から高周波数の帯域に亘ってノイズ低減の効果を発揮させることができる。
【００２５】
第１ホルダ３０Ａは第１フェライトコア２１Ａを保持し、第２ホルダ３０Ｂは第２フェライトコア２１Ｂを保持する。そして、第１ホルダ３０Ａと第２ホルダ３０Ｂは、互いに組み付けられることで第１フェライトコア２１Ａと第２フェライトコア２１Ｂを所定の位置関係に保持する機能を発揮する。また、第１ホルダ３０Ａと第２ホルダ３０Ｂは、後述する位置調節手段４０により、導体１２（被覆電線１１）の並び方向と平行な幅方向において複数の異なる位置関係に選択的に組み付けることができるようになっている。
【００２６】
第１ホルダ３０Ａは、合成樹脂製であり、上下に対向配置された一対の第１対向部３１Ａと、両第１対向部３１Ａの前端縁同士を繋ぐ半円弧状の第１連結部３２Ａを一体に形成して構成されている。第１ホルダ３０Ａには、第１対向部３１Ａの互いに対向する内面と第１連結部３２Ａの内面とを浅く凹ませた形態の第１収容凹部３３Ａが形成されている。第１収容凹部３３Ａ内には、第１フェライトコア２１Ａが収容される。第１フェライトコア２１Ａは、第１収容凹部３３Ａ内に嵌合されることで、第１開口部２６Ａが後方（つまり、導体１２の並列方向と平行な方向）へ開口する向きで第１ホルダ３０Ａに保持される。
【００２７】
第２ホルダ３０Ｂは、合成樹脂製であり、上下に対向配置された一対の第２対向部３１Ｂと、両第２対向部３１Ｂの後端縁同士を繋ぐ半円弧状の第２連結部３２Ｂを一体に形成して構成されている。第２ホルダ３０Ｂには、第２対向部３１Ｂの互いに対向する内面と第２連結部３２Ｂの内面とを浅く凹ませた形態の第２収容凹部３３Ｂが形成されている。第２収容凹部３３Ｂ内には、第２フェライトコア２１Ｂが収容される。第２フェライトコア２１Ｂは、第２収容凹部３３Ｂ内に嵌合されることで、第２開口部２６Ｂが前方（つまり、導体１２の並列方向と平行な方向）へ開口する向きで第２ホルダ３０Ｂに保持される。
【００２８】
第１ホルダ３０Ａには、上下両第１対向部３１Ａの右側面を凹ませた形態の複数の位置決め凹部４１Ａ（請求項に記載の位置決め部）が形成されている。この複数の位置決め凹部４１Ａは、前後方向（つまり、被覆電線１１の導体１２の並び方向と平行な方向）に一定ピッチで配置されている。第２ホルダ３０Ｂには、上下両第２対向部３１Ｂの左側面を突出させた形態の複数の位置決め突部４１Ｂ（請求項に記載の位置決め部）が形成されている。この複数の位置決め突部４１Ｂは、前後方向に一定ピッチで配置されている。この位置決め凹部４１Ａと位置決め突部４１Ｂのピッチは、被覆電線１１の外径とほぼ同じ寸法である。そして、位置決め凹部４１Ａと位置決め突部４１Ｂは、上述した位置調節手段４０として機能する。
【００２９】
次に、本実施例１のワイヤーハーネスＷａにおいて導電路１０にフェライトコアモジュール２０を取り付ける工程を説明する。まず、第１ホルダ３０Ａに第１フェライトコア２１Ａを組み付けておき、第２ホルダ３０Ｂに第２フェライトコア２１Ｂを組み付けておく。この後、第１フェライトコア２１Ａと第１ホルダ３０Ａを導電路１０に組み付ける。組付けの際には、第１開口部２６Ａが後方に開口するように第１フェライトコア２１Ａの向きを設定し、第１収容空間２４Ａ内に導電路１０を収容する。このとき、複数本の被覆電線１１を、その長さ方向（軸線方向）と直角に第１開口部２６Ａから第１収容空間２４Ａ内に挿入し、スライドさせながら順次、第１収容空間２４Ａの奥へ押し込んでいく。
【００３０】
第１フェライトコア２１Ａと第１ホルダ３０Ａを導電路１０に組み付ける工程と前後して、第２フェライトコア２１Ｂと第２ホルダ３０Ｂを導電路１０に組み付ける。組付けの際には、第２ホルダ３０Ｂを第１ホルダ３０Ａの右方へ離間させておく。そして、第２開口部２６Ｂが第１開口部２６Ａとは正反対方向、つまり前方に開口するように第２フェライトコア２１Ｂの向きを設定し、第２収容空間２４Ｂ内に導電路１０を収容する。このとき、複数本の被覆電線１１を、その長さ方向（軸線方向）と直角に第２開口部２６Ｂから第２収容空間２４Ｂ内に挿入し、スライドさせながら順次、第２収容空間２４Ｂの奥へ押し込んでいく。第２収容空間２４Ｂに対する被覆電線１１（導電路１０）の組付け時のスライド方向は、第１収容空間２４Ａに対する被覆電線１１（導電路１０）の組付け時のスライド方向とは、正反対の方向である。
【００３１】
第１フェライトコア２１Ａと第２フェライトコア２１Ｂを導電路１０に取りつけた後は、第１フェライトコア２１Ａと第２フェライトコア２１Ｂを、導電路１０に沿ってスライドさせながら接近させ、複数の位置決め凹部４１Ａと複数の位置決め突部４１Ｂとを圧入状態で嵌合させる。この嵌合により、第１ホルダ３０Ａと第２ホルダ３０Ｂが相対変位を規制された状態でユニット化されるとともに、フェライトコアモジュール２０の組み立てが完了する。同時に、導電路１０に対するフェライトコアモジュール２０の取り付けも完了する。
【００３２】
本実施例１においては、第１フェライトコア２１Ａと第２フェライトコア２１Ｂが、いずれも、略Ｕ字形をなしているので、導電路１０に対しその長さ方向と交差する方向に取り付けることができる。したがって、導電路１０が長尺で、フェライトコア２１Ａ，２１Ｂの取付け位置が導電路１０の端部から離れていても、取付け作業が容易である。
【００３３】
また、導電路１０にフェライトコアモジュール２０を取り付けた状態では、第１フェライトコア２１Ａと第２フェライトコア２１Ｂが相対変位を規制された状態に位置決めされる。そして、図３に示すように、導電路１０の長さ方向と直交する仮想平面上において、第１開口部２６Ａの開口方向と第２開口部２６Ｂの開口方向が互いに異なる向き（前後逆向き）となる。つまり、第１繋ぎ部２３Ａと第２繋ぎ部２３Ｂが、導電路１０を前後から挟むように配置される。
【００３４】
したがって、第１収容空間２４Ａに対する導電路１０の着脱口である第１開口部２６Ａの右側に隣接した位置には、第２繋ぎ部２３Ｂが配置されることになる。これにより、第１収容空間２４Ａ内の導電路１０を、第１開口部２６Ａを通過させて第１フェライトコア２１Ａの外部へ離脱させようとしても、離脱経路が第２繋ぎ部２３Ｂに遮られるので、離脱が規制される。また、第２収容空間２４Ｂに対する導電路１０の着脱口である第２開口部２６Ｂの左側に隣接した位置には、第１繋ぎ部２３Ａが配置される。これにより、第２収容空間２４Ｂ内の導電路１０を、第２開口部２６Ｂを通過させて第２フェライトコア２１Ｂの外部へ離脱させようとしても、離脱経路が第１繋ぎ部２３Ａに遮られるので、離脱が規制される。したがって、第１フェライトコア２１Ａと第２フェライトコア２１Ｂは、導電路１０に対しその長さ方向と交差する方向に離脱することを確実に規制されている。
【００３５】
また、第１ホルダ３０Ａは、第１開口部２６Ａの開口方向が導体１２の並列方向と平行となるように第１フェライトコア２１Ａを保持し、第２ホルダ３０Ｂは、第２開口部２６Ｂの開口方向が導体１２の並列方向と平行となるように第２フェライトコア２１Ｂを保持する。そして、第１ホルダ３０Ａと第２ホルダ３０Ｂに形成した位置調節手段４０により、導体１２の並び方向と平行な幅方向において、第１ホルダ３０Ａと第２ホルダ３０Ｂを複数の異なる位置関係で組み付けることが可能となっている。
【００３６】
したがって、導電路１０を構成する被覆電線１１の本数が少なくなった場合には、図２に示すように、第１ホルダ３０Ａを第２ホルダ３０Ｂに対して相対的に後方へ変位させた状態で嵌合する。すると、第１繋ぎ部２３Ａと第２繋ぎ部２３Ｂの前後方向（導体１２の並び方向）に間隔が狭まる。このように、第１繋ぎ部２３Ａと第２繋ぎ部２３Ｂの間隔を導電路１０の幅寸法（導体１２の並び方向の寸法）に合わせて多段階に調節すれば、フェライトコアモジュール２０内において導電路１０が幅方向にガタ付くことを防止できる。
【００３７】
特に、本実施例１では、位置決め凹部４１Ａと位置決め突部４１Ｂのピッチを、被覆電線１１の外径とほぼ同じ寸法に設定している。したがって、導電路１０を構成する被覆電線１１の本数がどのように変更されても、第１繋ぎ部２３Ａと第２繋ぎ部２３Ｂの前後間隔を、導電路１０の幅寸法とほぼ合致するように調節することができる。
【００３８】
＜実施例２＞
以下、本発明を具体化した実施例２を図４〜図６を参照して説明する。本実施例２のワイヤーハーネスＷｂを構成するフェライトコアモジュール５０は、実施例１と同様、導体１２（被覆電線１１）の並び方向と平行な幅方向において、第１ホルダ５１Ａと第２ホルダ５１Ｂを複数の異なる位置関係で組み付けることを可能にする位置調節手段４５を備えている。但し、本実施例２の位置調節手段４５は、実施例１と異なる。その他の構成については、実施例１と同じであるから、同じ構成については同一符号を付し、詳しい説明は省略する。
【００３９】
本実施例２の位置調節手段４５は、第１ホルダ５１Ａに形成した上下一対のガイド溝４６Ａと、第２ホルダ５１Ｂに形成した上下一対のガイドリブ４６Ｂとから構成されている。ガイド溝４６Ａは、上側と下側の各第１対向部３１Ａの右側面に形成されている。ガイド溝４６Ａは、前後方向、つまり被覆電線１１の並び方向と平行に直線状に延びていて、第１ホルダ５１Ａの前端面と後端面とに開口している。また、ガイド溝４６Ａはアリ溝状をなしている。つまり、ガイド溝４６Ａの長さ方向と直角に切断した断面形状は、台形である。
【００４０】
ガイドリブ４６Ｂは、上側と下側の各第２対向部３１Ｂの左側面に形成されている。ガイドリブ４６Ｂは、前後方向、つまり被覆電線１１の並び方向と平行に直線状に延びている。前後方向におけるガイドリブ４６Ｂの形成帯域は、第２ホルダ５１Ｂの前端から後端に至る範囲である。また、ガイドリブ４６Ｂの長さ方向と直角に切断した断面形状は、台形である。
【００４１】
ワイヤーハーネスＷｂの組み付けは、次の手順で行う。まず、第１ホルダ５１Ａに第１フェライトコア２１Ａを取り付け、第２ホルダ５１Ｂに第２フェライトコア２１Ｂを取り付ける。次に、第１ホルダ５１Ａを後方へスライドさせながら、第１フェライトコア２１Ａを導電路１０に取り付ける。その後、第２ホルダ５１Ｂを第１ホルダ５１Ａの斜め右後方に配置し、ガイドリブ４６Ｂの前端部をガイド溝４６Ａの後端部に嵌合させる。次に、ガイドリブ４６Ｂとガイド溝４６Ａを摺接させながら、第２ホルダ５１Ｂを第１ホルダ５１Ａ及び導電路１０に対して相対的に前方へスライドさせることにより、第２フェライトコア２１Ｂを導電路１０に組み付けていく。
【００４２】
そして、第１繋ぎ部２３Ａと第２繋ぎ部２３Ｂが導電路１０に当接したところで、第１フェライトコア２１Ａの導電路１０への組み付けと、第２フェライトコア２１Ｂの導電路１０への組付けが完了する。同時に、フェライトコアモジュール５０の組み付けも完了する。本実施例２のワイヤーハーネスＷｂは、ガイド溝４６Ａとガイドリブ４６Ｂをスライドさせることにより、第１ホルダ５１Ａと第２ホルダ５１Ｂの位置関係を無段階に調節することができる。尚、導電路１０への組み付け手順は、先に第２ホルダ５１Ｂを導電路１０に組み付け、その後で、第１ホルダ５１Ａを導電路１０に組み付けてもよい。
【００４３】
＜他の実施例＞
本発明は上記記述及び図面によって説明した実施例に限定されるものではなく、例えば次のような実施例も本発明の技術的範囲に含まれる。
（１）上記実施例１，２では、導電路を構成する複数本の被覆電線を一列に並列配置したが、複数本の被覆電線を全体として円形をなすように一纏めに束ねて配置してもよい。
（２）上記実施例１，２では、導電路を複数本の被覆電線によって構成したが、導電路はフラットケーブルであってもよい。
（３）上記実施例１，２では、導電路の長さ方向と直交する仮想平面上において、第１開口部と第２開口部が互いに反対方向に開口するようにしたが、第１開口部と第２開口部が、互いに斜めをなす方向又は互いに直角をなす方向に開口するようにしてもよい。
（４）上記実施例１，２では、第１フェライトコアを保持する第１ホルダと、第２フェライトコアを保持する第２ホルダを組み付けるようにしたが、１つのホルダに第１フェライトコアと第２フェライトコアを保持してもよい。
（５）上記実施例１，２では、第１フェライトコアによるノイズ低減周波数帯域と、第２フェライトコアによるノイズ低減周波数帯域とが異なるようにしたが、第１フェライトコアによるノイズ低減周波数帯域と第２フェライトコアによるノイズ低減周波数帯域とが、同じ周波数帯域であってもよい。
（６）上記実施例１，２では、挟み部の対向面を平坦面としたが、挟み部の対向面に、被覆電線を位置決めするための突起や凹みを形成してもよい。
【符号の説明】
【００４４】
Ｗａ…ワイヤーハーネス
１０…導電路
１２…導体
２０…フェライトコアモジュール
２１Ａ…第１フェライトコア
２１Ｂ…第２フェライトコア
２２Ａ…第１挟み部
２２Ｂ…第２挟み部
２３Ａ…第１繋ぎ部
２３Ｂ…第２繋ぎ部
２６Ａ…第１開口部
２６Ｂ…第２開口部
３０Ａ…第１ホルダ
３０Ｂ…第２ホルダ
４０…位置調節手段
４１Ａ…位置決め突起（位置決め部）
４１Ｂ…位置決め凹部（位置決め部）
Ｗｂ…ワイヤーハーネス
５０…フェライトコアモジュール
５１Ａ…第１ホルダ
５１Ｂ…第２ホルダ
４５…位置調節手段
４６Ａ…ガイド溝
４６Ｂ…ガイドリブ
【図１】
2015026739.tif 000003
【図２】
2015026739.tif 000004
【図３】
2015026739.tif 000005
【図４】
2015026739.tif 000006
【図５】
2015026739.tif 000007
【図６】
2015026739.tif 000008